【手続補正書】
【提出日】平成19年12月18日(2007.12.18)
【手続補正１】
【補正対象書類名】明細書
【補正対象項目名】特許請求の範囲
【補正方法】変更
【補正の内容】
【特許請求の範囲】
【請求項１】  単体で撮影動作が可能な撮像装置と、上記撮像装置と通信手段によって接続される印刷装置とによって構成される画像印刷システムにおいて、
上記撮像装置と上記印刷装置との間でデータの送受信を行う通信手段と、
上記印刷装置で印刷作業が実行されているときに、上記撮像装置において撮影動作が行われた場合に、上記印刷作業を一時停止させる印刷一時停止手段とを具備することを特徴とする画像印刷システム。
【請求項２】  印刷装置との間でデータの送受信を行う通信手段と、
上記印刷装置で印刷作業が実行されているときに、上記撮像装置において撮影動作が行われた場合に、上記印刷作業を一時停止させる印刷一時停止手段とを具備することを特徴とする撮像装置。
【請求項３】  上記印刷が一時停止されたときに、印刷作業の進行状態を示す印刷作業データを記録する印刷進行状態記録手段を具備することを特徴とする請求項２に記載の撮像装置。
【請求項４】  上記印刷が一時停止されたときに、上記印刷作業に使用されているメモリ領域の少なくとも一部を開放して撮影作業に使用するようにしたことを特徴とする請求項２または３に記載の撮像装置。
【請求項５】  上記撮影画像データを記録する媒体として第１のメモリ手段と、取り外し可能な第２のメモリ手段とを有し、撮影した画像データを上記第２のメモリ手段に記録した後に印刷を再開することを特徴とする請求項２〜４の何れか１項に記載の撮像装置。
【請求項６】  上記第２のメモリ手段に撮影画像データを最後に記録した後、予め設定された時間を経過した後に印刷を再開することを特徴とする請求項２〜５の何れか１項に記載の撮像装置。
【請求項７】  上記印刷装置が印刷を再開するときに、中断されていた画像の印刷を再開するか、放棄するかを使用者が入力可能な入力装置を具備することを特徴とする請求項２〜６の何れか１項に記載の撮像装置。
【請求項８】  上記印刷作業の中断時に、上記印刷進行状態記録手段に記録された印刷作業の進行状態を示す印刷作業データを用いて印刷作業を再開することを特徴とする請求項２〜７の何れか１項に記載の撮像装置。
【請求項９】  上記印刷装置による印刷が一時停止されたときに、印刷作業の進行状態を示す印刷作業データを記録する印刷作業データ記録手段と、
印刷作業データ記録手段と上記印刷装置に記録された印刷作業データとを比較照合する印刷作業データ比較照合手段と、
上記印刷作業データ比較照合手段の結果に基いて印刷再開の是非を決定する印刷再開是非決定手段とを具備することを特徴とする請求項２〜８の何れか１項に記載の撮像装置。
【請求項１０】  システム使用者による撮影命令発行後、撮影動作が予め設定された第１の所定時間が経過した後に行われるとき、上記第１の所定時間以下の第２の所定時間が経過するまで印刷を中止させる印刷中止手段を具備することを特徴とする請求項２〜９の何れか１項に記載の撮像装置。
【請求項１１】  上記印刷装置による印刷作業が一時停止されたときに、印刷を一時停止したときの時刻データを記録する印刷中止時刻記録手段を具備することを特徴とする請求項２〜１０の何れか１項に記載の撮像装置。
【請求項１２】  上記一時停止されていた印刷作業を再開するときに、印刷を中断してから再開までの経過時間を使用者に対して提示する経過時間提示手段を具備することを特徴とする請求項２〜１１の何れか１項に記載の撮像装置。
【請求項１３】  単体で撮影動作が可能な撮像装置と通信手段によって接続される印刷装置であって、
上記撮像装置から送られた画像データを印刷しているときに、上記撮像装置において撮影動作が行われた場合に、上記印刷作業を一時停止させる印刷一時停止手段を具備することを特徴とする印刷装置。
【請求項１４】  上記印刷が一時停止されたときに、印刷作業の進行状態を示す印刷作業データを記録する印刷進行状態記録手段を具備することを特徴とする請求項１３に記載の印刷装置。
【請求項１５】  上記撮像装置が撮影画像データを最後に記録した後、予め設定された時間を経過した後に印刷を再開することを特徴とする請求項１３または１４に記載の印刷装置。
【請求項１６】  上記印刷作業の中断時に、上記印刷進行状態記録手段に記録された印刷作業の進行状態を示す印刷作業データを用いて印刷作業を再開することを特徴とする請求項１３〜１５の何れか１項に記載の印刷装置。
【請求項１７】  上記印刷装置による印刷が一時停止されたときに、印刷作業の進行状態を示す印刷作業データを印刷作業データ記録手段と、
上記撮像装置に記録された印刷作業データと、上記印刷作業データ記録手段に記録された印刷作業データとを比較照合する印刷作業データ比較照合手段と、
上記印刷作業データ比較照合手段の結果に基いて印刷再開の是非を決定する印刷再開是非決定手段とを具備することを特徴とする請求項１３〜１６の何れか１項に記載の印刷装置。
【請求項１８】  システム使用者による撮影命令発行後、撮影動作が予め設定された第１の所定時間が経過した後に行われるとき、上記第１の所定時間以下の第２の所定時間が経過するまで印刷を中止させる印刷中止手段を具備することを特徴とする請求項１３〜１７の何れか１項に記載の印刷装置。
【請求項１９】  上記印刷作業が一時停止されたときに、印刷を一時停止したときの時刻データを記録する印刷中止時刻記録手段を具備することを特徴とする請求項１３〜１８の何れか１項に記載の印刷装置。
【請求項２０】  上記一時停止されていた印刷作業を再開するときに、印刷を中断してから再開までの経過時間を使用者に対して提示する経過時間提示手段を具備することを特徴とする請求項１３〜１９の何れか１項に記載の印刷装置。
【請求項２１】  単体で撮影動作が可能な撮像装置と、上記撮像装置と通信手段によって接続される印刷装置とによって構成される画像印刷システムにおける印刷制御方法において、
上記撮像装置と上記印刷装置との間でデータの送受信を行う通信処理と、
上記印刷装置で印刷作業が実行されているときに、上記撮像装置において撮影動作が行われた場合に、上記印刷作業を一時停止させる印刷一時停止処理とを行うことを特徴とする印刷制御方法。
【請求項２２】  上記印刷装置による印刷が一時停止されたときに、印刷作業の進行状態を示す印刷作業データを、上記撮像装置か印刷装置のうち、少なくともどちらか一方に記録する印刷進行状態記録処理を行うことを特徴とする請求項２１に記載の印刷制御方法。
【請求項２３】  上記印刷装置による印刷が一時停止されたときに、上記印刷作業に使用されているメモリ領域の少なくとも一部を開放して上記撮影作業に使用するようにしたことを特徴とする請求項２１または２２に記載の印刷制御方法。
【請求項２４】  上記撮像装置は、画像を記録する媒体として第１のメモリ手段と、取り外し可能な第２のメモリ手段とを有し、撮影した画像データを上記第２のメモリ手段に記録した後に印刷を再開することを特徴とする請求項２１〜２３の何れか１項に記載の印刷制御方法。
【請求項２５】  上記撮像装置が上記第２のメモリ手段に撮影画像データを最後に記録した後、予め設定された時間を経過した後に印刷を再開することを特徴とする請求項２１〜２４の何れか１項に記載の印刷制御方法。
【請求項２６】  上記印刷装置が印刷を再開するときに、中断されていた画像の印刷を再開するか、放棄するかを使用者に選択させるステップを有することを特徴とする請求項２１〜２５の何れか１項に記載の印刷制御方法。
【請求項２７】  上記印刷作業の中断時に、上記撮像装置か印刷装置のうち、少なくともどちらか一方に記録された印刷作業の進行状態を示す印刷作業データを用いて印刷作業を再開することを特徴とする請求項２１〜２６の何れか１項に記載の印刷制御方法。
【請求項２８】  上記印刷装置による印刷が一時停止されたときに、印刷作業の進行状態を示す印刷作業データを、少なくとも上記撮像装置及び上記印刷装置のどちらか一方の記憶手段に記録する印刷作業データ記録処理と、
上記撮像装置に記録された印刷作業データと、上記印刷装置に記録された印刷作業データとを比較照合する印刷作業データ比較照合処理と、
上記印刷作業データ比較照合処理の結果に基いて印刷再開の是非を決定する印刷再開是非決定処理とを行うことを特徴とする請求項２１〜２７の何れか１項に記載の印刷制御方法。
【請求項２９】  システム使用者による撮影命令発行後、撮影動作が予め設定された第１の所定時間が経過した後に行われるとき、上記第１の所定時間以下の第２の所定時間が経過するまで印刷を中止させる処理を行うことを特徴とする請求項２１〜２８の何れか１項に記載の印刷制御方法。
【請求項３０】  上記印刷装置による印刷作業が一時停止されたときに、印刷を一時停止したときの時刻データを記録する印刷中止時刻記録処理を行うことを特徴とする請求項２１〜２９の何れか１項に記載の印刷制御方法。
【請求項３１】  上記一時停止されていた印刷作業を再開するときに、印刷を中断してから再開までの経過時間を使用者に対して提示する経過時間提示処理を行うことを特徴とする請求項２１〜３０の何れか１項に記載の印刷制御方法。
【請求項３２】  請求項１〜２０の何れか１項に記載の各手段としてコンピュータを機能させるプログラムを格納したことを特徴とするコンピュータ読み取り可能な記憶媒体。
【請求項３３】  請求項２１〜３１の何れか１項に記載の印刷制御方法の各処理をコンピュータに実行させるプログラムを格納したことを特徴とするコンピュータ読み取り可能な記憶媒体。
【手続補正２】
【補正対象書類名】明細書
【補正対象項目名】０００８
【補正方法】変更
【補正の内容】
【０００８】
【課題を解決するための手段】
本発明の画像印刷システムは、単体で撮影動作が可能な撮像装置と、上記撮像装置と通信手段によって接続される印刷装置とによって構成される画像印刷システムにおいて、上記撮像装置と上記印刷装置との間でデータの送受信を行う通信手段と、上記印刷装置で印刷作業が実行されているときに、上記撮像装置において撮影動作が行われた場合に、上記印刷作業を一時停止させる印刷一時停止手段とを具備することを特徴とする。
【手続補正３】
【補正対象書類名】明細書
【補正対象項目名】００１２
【補正方法】変更
【補正の内容】
【００１２】
本発明の記憶媒体は、上記に記載の各手段としてコンピュータを機能させるプログラムを格納したことを特徴とする。
また、本発明の記憶媒体の他の特徴とするところは、上記に記載の印刷制御方法の各処理をコンピュータに実行させるプログラムを格納したことを特徴とする。